(57)【要約】【目的】手指が不自由であっても、手指を使わずに扱える柄の無い粒歯ブラシ１を作り、該歯ブラシを口に含んで、該歯ブラシを舌と歯を動かしながら噛むようにして行う歯磨きが、水を使用する事無く、何時でも何処ででも歯磨きが円滑に行える【構成】表面が平らで、口の中に入れて舌と歯で動かせる小さな歯ブラシ用の柄が付いていないブラシ台に、歯ブラシ用の毛を植毛してなる粒歯ブラシ１。小粒状歯ブラシ３は小粒状ブラシ台２に植毛を施し、Ｌ字状歯ブラシ５はＬ字状ブラシ台４の表面、内角側に植毛を施して成る。【選択図】　図１
2004113749.tif 000002
【特許請求の範囲】
【請求項１】
柄の無い噛む歯ブラシ１の全体を口の中に入れ舌と歯を使って、粒歯ブラシ１を噛み動かす動作を繰り返し行う事ができることにより成る、両手指を使わないで歯磨きする歯磨き装置。
【請求項２】
請求項１の噛む歯ブラシ１として、表面が平らな立方体をプラスチック成型した小粒状ブラシ台２を作り、小粒状ブラシ台２の表面に、歯ブラシ用の毛を植毛して成る、小粒状歯ブラシ３を作る。
【請求項３】
請求項１の噛む歯ブラシ１として、表面が平らなＬ字状立方体をプラスチック成型したＬ字状ブラシ台４を作り、Ｌ字状ブラシ台４の内角側表面上に、歯ブラシ用の毛を整え植毛を施して成る、Ｌ字状歯ブラシ５を作る。
【発明の詳細な説明】
【０００１】
【産業上の利用分野】
本発明は、両手両指を使わずに、歯磨きを、素早く、簡潔に、衛生的に、時と場所を選ばずに行える歯磨き装置と、その歯磨きに用いる歯ブラシの製造に関するものである。
寝たきりの人や手指に障害を持つ人達の為に発明したが、健常者においても使用するメリットは甚大である。
【０００２】
【従来の技術】
従来、歯の清掃用具として使用される一般的な歯ブラシには柄が付いおり、水を用意して磨き剤を添えて、柄を保持して歯ブラシを動かし、時々口からすすぎ水などを吐き捨てる等の方法で歯磨きを行う。
【０００３】
【発明が解決しようとする課題】
従来の技術による歯ブラシは、長い柄が付いているから１．手指の介助を必要とする２．歯を磨く動作時に開いた口の隙間から飛沫が外に飛び出す事がある３．長い柄を操作する動作がしばしばわずらわしく、使用する場所が限られる。水資源を無駄に使用する等の問題点を有していた。
【０００４】
本発明は、従来の技術が有するこのような問題に鑑みてなされたものであり、その目的とする所は手指をわざわざ使用しなくても本発明の噛む歯ブラシを用いる事により、１．歯磨き中に両手を使わなくても済む２．口を閉じたまま歯磨きができる３．水やコップが無くてもよい４．邪魔な柄が無いからわずらわしくない等の理由から他の用事をしながら目的を果たせる。
【０００５】
【課題を解決する為の手段】
上記目的を達成する為に、本発明の歯ブラシにおいては、口にすっぽりと歯ブラシを入れ、手指を使わずに歯磨きを行う為に、成型した小さな台にブラシ用のやわらかい毛をＭ字状に整え植毛を施した小粒状歯ブラシ、とＬ字状歯ブラシ台に植毛したミニ歯ブラシを製造加工し、手指を使わなくても、時と場所を選ぶ事なしに、水やコップをその都度必要としない、何時でも咄嗟に使いたい時に使える歯ブラシ装置にした。
【０００６】
整えて植毛する毛の質や長さ、太さ、間隔、硬さや、カーブした毛や、角度を変えた植毛など、整毛デザインや、植毛する台の形状や材質の硬軟等は、衛生的な物を選び形や色のデザインを色々と揃え、ニーズに応えるのが良い。
粒ブラシをコノ字型にするのも良い。Ｌ字状、コノ字状ブラシの製作については、曲げる個所に溝をつけるなどした長方立方体のプラスチック台に植毛、整毛した後に、熱を加えてＬ字、コノ字状に曲げる方法を使うと、内角面に植毛したブラシ台が容易にできるからよい。植毛に代わるスポンジブラシや布ブラシを貼着しても良いし、ブラシ台表面に植毛しない面があるのも良い。
ブラシ台を合成ゴムにして植毛やスポンジブラシの貼着を混合ミックスして、使用するのも良い。ブラシ台に口に入る小さな柄を付けた柄付歯ブラシにして成型加工製造して提供するのも良い。
ブラシ台の表面に植毛する部位はニーズや特性により、部分的に植毛を施さない部分を設けるのも良い。
【０００７】
従来ブラシの使い方を模して、練り製の歯磨き剤や、粉製の磨き剤などを本発明品に付けて使用するのもよいが、水やコップが必要になるから、場所や時の制約を伴う。本発明品は専ら両手指を使わず使用するが、無論手指を使用して歯磨きをしても良い。
【０００８】
食塩を着けて衛生的な包装を施して、歯の公衆衛生に寄与する為に、コストを押さえて廉価に販売できる物品であるが、１回限りの使い捨てもよいが、食塩水に漬けにして保管して用いれば数階に及ぶ使用もよい。
衛生的な常備用ケースや携行する時の為に食塩水容器を常備して、該ブラシを何時もその中に漬けて保管保持するのも良い。
が、ブラシを持ち歩いたり、移動保管する時は、ブラシを食塩水容器内に漬けて取り出し乾燥させた食塩付きブラシにして、別の容器に入れて保管したり、携行したり使用する時に良い。
【０００９】
【作用】
上記のように構成した歯ブラシを食塩水容器から取り出し、口に含みブラシを舌で動かして数分もごもごと歯の隅々に動かし歯を動かして歯を磨いた。その間にはまるでチューウインガムを口に入れている状態に似て、時と場所を選ぶこと無く歯磨きが行えるから、手を使う別の作業を同時に行えた。
【００１０】
【実施例】
実施例について図面１を参照して説明すると、予め食塩水入りの小皿容器に入れておいたところの、ポリプロピレンを幅１０ｍｍ厚み５ｍｍ長さ１７ｍｍに成型したブラシ台にブラシ用のやわらかめのナイロン毛を植毛した図１の小粒状歯ブラシを２個口に含み数分、舌と歯を動かしブラシを噛みながら歯磨きを行った。植毛した毛が歯と歯茎に程よく刺激を伝え、歯の周りの残渣付着物が除かれた。好みの噛む歯ブラシを１個又は数個を其々含み歯磨きを行ったがいずれも良い結果が得られた。手指を使わず歯磨き中に口内にたまる唾液は抵抗無く飲み込めた。歯磨きが終わると、手指を使わずに口の中にあるブラシを食塩水入り容器に口から移し入れて終了した。図２のＬ字状歯ブラシにおいて、Ｌ字状の植毛部を歯に当て、舌と歯を口の中で動かしながらブラシを操作する事ができて、歯茎の間にある頑固な汚れを除く場合にも有効である。結果、両手指に障害があっても、他の事を行いながら、手指を使う事無く、水やコップを使う事無く、大変に心地よく歯磨きが行えた。
【００１１】
【発明の効果】
本発明は、上述のように構成されているので、障害者であっても、健常者であっても、該歯ブラシを口に入れる時と口から出す時においてさえも、手指を使わなくても使える歯ブラシであり、使用に際し時と場所を殆んど選ぶ事もないから該歯ブラシで歯磨きを積極的に行う習慣が広く生まれれば、歯の健康に著しく貢献する。該歯ブラシの製造原価は少額で済むから、販売価格も廉価にて供給できる。家事や仕事中に歯磨きができる。水やコップを無駄に使用しないで済む。等などの理由から著しく経済的である。
【図面の簡単な説明】
【図１】小粒状歯ブラシの略斜視図である
【図２】Ｌ字状歯ブラシの略斜視図である
【図３】小粒状ブラシ台の略斜視図である
【図４】Ｌ字状ブラシ台の略斜視図である
【図１】
2004113749.tif 000003
【図２】
2004113749.tif 000004
【図３】
2004113749.tif 000005
【図４】
2004113749.tif 000006